(57)【特許請求の範囲】
【請求項１】
ディスクロータの両側に配置された一対のパッドの一方に対向するピストンと前記ディスクロータを跨いで前記一対のパッドの他方に対向する爪部とを有するキャリパと、車体側に固定され前記一対のパッドを前記ディスクロータの軸方向に沿って移動可能に支持する一対のトルク受け部と該一対のトルク受け部を前記ディスロータの軸方向アウタ側で連結するアウタビームとを備えるキャリアと、を有し，前記ディスクロータの軸方向インナ側に配置した第１および第２のスライドピンと前記ディスロータの軸方向アウタ側に配置した第３のスライドピンとにより前記キャリパを前記キャリアに移動可能に支持させたキャリパ浮動型ディスクブレーキにおいて，
前記キャリパの前記爪部から前記一対のトルク受け部のうち隣接するトルク受け部側へ向けて前記ディスロータの回転方向に延出し、前記第３のスライドピンが螺合する取付穴を有する第１の腕部と、
前記アウタビームの前記トルク受け部との連結部付近から前記第１の腕部まで延出して設けられ、前記第３のスライドピンが摺動する摺動穴を有する第２の腕部と、を有し，
前記第３のスライドピンの中心軸は，前記キャリパの前記ディスクロータ周方向の外縁よりも内側に位置していることを特徴とするディスクブレーキ。
【請求項２】
請求項１のディスクブレーキにおいて， 
前記第３のスライドピンは，前記ディスクロータ軸方向のインナ側に配置した前記第１および第２のスライドピンのうちクリアランスの大きい第２のスライドピン側に位置することを特徴とするディスクブレーキ。
【発明の詳細な説明】
【技術分野】
【０００１】
本発明は，キャリパ浮動型ディスクブレーキに関するものである。
【背景技術】
【０００２】
自動車等に装着されるディスクブレーキには，車輪とともに回転するディスクロータの片側に配置されたパッドに対向するピストンをピストンシールを介して嵌装するシリンダボアと，ディスクロータをまたいで反対側のパッドに対向する爪部とを有するキャリパを車体側に固定されるキャリアに移動可能に支持させ，マスタシリンダからシリンダボア内に圧油を供給してピストンを前進させることにより，一方のパッドを直接ディスクロータに押し付けるとともに，その反力によってキャリパを移動させ，爪部を介して他方のパッドをディスクロータに押し付けて制動力を発生させるようにしたキャリパ浮動型ディスクブレーキがある。
【０００３】
この種のブレーキでは，キャリパをキャリアに摺動可能に支持するスライドピンを設け，キャリパを移動可能に支持しているが，キャリパ本体の自重等によるがたつきにより発生するブレーキ制動時の異音やジャダー，またブレーキ解除時の引き摺り等を防止するため，キャリパを３本以上のピンにより支持して摺動させ，キャリパ姿勢を安定して保持する技術がある（例えば特許文献１および特許文献２参照）。
【０００４】
上記従来技術では，キャリパ本体は，車体側に固定されるキャリアに，２本のスライドピンによって案内され，ディスクロータの軸方向に沿って移動可能に支持されている。さらに，キャリパ姿勢を安定させるために，ディスクロータ軸方向のアウタ側に，キャリパ本体を支持する第３のスライドピンを嵌挿させた支持機構を構成している。
【０００５】
【特許文献１】特開昭57-18826号
【特許文献２】特開昭59-73633号の図５
【発明の開示】
【発明が解決しようとする課題】
【０００６】
しかしながら，上記従来技術のキャリパ浮動型ディスクブレーキでは次のような問題がある。
すなわち，特許文献１および特許文献２に記す技術では，ディスクロータ軸方向のアウタ側からスリーブを介して工具が係合する頭付のボルトを挿通して第３のスライドピンを突出させる構成のため，摺動部となるスリーブ部分の寸法に加え，工具が係合するボルトの頭部分の寸法が加わり，ディスクロータ軸方向のアウタ側への張出しが大きくなってしまう。よって，従来技術を実施するには，第３のスライドピンがホイールと干渉してしまうため，ディスクロータやホイールを含めたホイールスペース全体の構成レイアウトを大幅に変更する必要が生じてしまう。
【０００７】
また，この種のブレーキでは，キャリパとキャリアを組付ける際の作業性を考慮し，通常第１もしくは第２のスライドピンのどちらかのスライドピンのクリアランスを大きく設計している。特許文献１に記す技術では，連結部の中央部に第３のスライドピンをディスクロータ軸方向のアウタ側に設ける構成となっているので，第１もしくは第２のスライドピンのうちクリアランスの大きいスライドピン側のがたつきを確実に抑えることが困難となる。
【０００８】
また，第１もしくは第２のスライドピンのうちクリアランスの大きいスライドピン側に第３のスライドピンを位置させた上記特許文献２に記す技術では，キャリパ本体に第３のスライドピンを摺動させる支持部をディスクロータ周方向外側にキャリパ本体より突出して設ける構成としているため，ディスクロータ周方向への張出しが大きくなってしまう。よって，本技術を実施するには，第３のスライドピンを摺動させる支持部がホイール等と干渉してしまうため，ディスクロータやホイールを含めたホイールスペース全体の構成レイアウトを大幅に変更する必要が生じてしまう。
【０００９】
本発明は，上記の点に鑑みてなされたものであり，キャリパ本体の自重等によるがたつきにより発生するブレーキ制動時の異音やジャダーおよびブレーキ解除時に発生する引き摺り等を防止するための第３のスライドピンをコンパクトに設けることにより，ディスクロータやホイール等を含めたホイールスペース全体の構成レイアウトを変更することのないキャリパ浮動型ディスクブレーキを提供することにある。
【課題を解決するための手段】
【００１０】
上記課題を解決するため，請求項1記載の発明は，ディスクロータの両側に配置された一対のパッドの一方に対向するピストンと前記ディスクロータを跨いで前記一対のパッドの他方に対向する爪部とを有するキャリパと、車体側に固定され前記一対のパッドを前記ディスクロータの軸方向に沿って移動可能に支持する一対のトルク受け部と該一対のトルク受け部を前記ディスロータの軸方向アウタ側で連結するアウタビームとを備えるキャリアと、を有し，前記ディスクロータの軸方向インナ側に配置した第１および第２のスライドピンと前記ディスロータの軸方向アウタ側に配置した第３のスライドピンとにより前記キャリパを前記キャリアに移動可能に支持させたキャリパ浮動型ディスクブレーキにおいて，前記キャリパの前記爪部から前記一対のトルク受け部のうち隣接するトルク受け部側へ向けて前記ディスロータの回転方向に延出し、前記第３のスライドピンが螺合する取付穴を有する第１の腕部と、前記アウタビームの前記トルク受け部との連結部付近から前記第１の腕部まで延出して設けられ、前記第３のスライドピンが摺動する摺動穴を有する第２の腕部と、を有し，前記第３のスライドピンの中心軸は，前記キャリパの前記ディスクロータ周方向の外縁よりも内側に位置していることを特徴とする。
【００１１】
請求項２記載の発明は，請求項１のディスクブレーキにおいて，前記第３のスライドピンは，前記ディスクロータ軸方向のインナ側に配置した前記第１および第２のスライドピンのうちクリアランスの大きい第２のスライドピン側に位置することを特徴とする。
【発明の効果】
【００１２】
請求項1記載の発明によれば，ディスクブレーキ本体をコンパクトにすることができる。したがって，第３のスライドピンとホイールの干渉を回避することが容易なため，ディスクロータやホイールを含めたホイールスペース全体の構成レイアウトを大幅に変更する必要がない。
【００１３】
また，請求項２記載の発明によれば，第１もしくは第２のスライドピンのうちクリアランスの大きいスライドピン側のがたつきを確実に抑えることが可能となる。
また，ディスクブレーキ本体をコンパクトにすることができる。したがって，第３のスライドピンとホイールの干渉を回避することが容易なため，ディスクロータやホイールを含めたホイールスペース全体の構成レイアウトを大幅に変更する必要がない。
【発明を実施するための最良の形態】
【００１４】
以下，本発明の一実施例を図面に基づいて詳細に説明する。
【００１５】
図１ないし図３に示すように，ディスクブレーキ１は，キャリパ浮動型ディスクブレーキであり，キャリパ本体２には，車輪（図示せず）とともに回転するディスクロータ３の片側の面に対向させてシリンダボア４が形成されており，また，ディスクロータ３を跨いで反対側の面に対向させて爪部５が形成されている。爪部５には，シリンダボア４に対向する部位に切欠部６が形成されている。この切欠部６は，シリンダボア４の内径を機械加工する際の工具の逃げとして用いられる。シリンダボア４には，ピストンシール７を介してピストン８が摺動可能に嵌装されている。そして，ディスクロータ３とピストン８との間にインナパッド９が設けられ，ディスクロータ３と爪部５との間にアウタパッド10が設けられている。図中，11はダストブーツである。
【００１６】
キャリパ本体２は，ディスクロータ３の軸方向インナ側に配置した第１および第２のスライドピン13ａ，13ｂによって，車体側に固定されるキャリア12に案内され，ディスクロータ３の軸方向に沿って移動可能に支持されている。また，キャリア12には，第１および第２のスライドピン13ａ，13ｂが摺動可能に嵌合するトルク受け部22ａ，22ｂが設けられており，両者を橋渡しする形でアウタビーム14が設けられている。このアウタビーム14は，キャリパ本体２の爪部５のアウタ側に位置するようになっている。さらに，インナパッド９およびアウタパッド10は，キャリア12のトルク受け部22ａ，22ｂに設けられたパッドガイド23ａ，23ｂの溝24ａ，24ｂ（図２参照）によって案内され，ディスクロータ３の軸方向に沿って移動可能に支持されている。
【００１７】
次に，本発明の要部であるキャリパの支持機構の実施例について説明する。
【００１８】
キャリパ本体２の爪部５のアウタビーム14側の面（アウタパッド10押圧面の反対面）には，ディスクロータ３の軸線と垂直な面を有する第１の腕部20を形成し，該第１の腕部20に第３のスライドピン15を取付けるための雌ねじが形成された取付穴16が設けられている。
【００１９】
一方，アウタビーム14には，ディスクロータ３の軸線と垂直な面を有する第２の腕部21を形成し，該第２の腕部21に，キャリパ本体２の爪部５に取付けられた第３のスライドピン15が摺動可能となるような摺動穴18が設けられている。さらに，摺動穴18には弾性部材からなるブッシュ19を嵌合して取付けている。
【００２０】
第３のスライドピン15は，爪部５に設けられた第１の腕部20の取付穴16へ嵌合するための取付部15ａと，アウタビーム14に設けられた第２の腕部21の摺動穴18と摺動させるための摺動部15ｂとで構成されている。
【００２１】
第３のスライドピン15の取付部15ａは，雄ねじが形成されており，第１の腕部20に設けられた取付穴16にディスクロータ３の軸線方向に沿って螺合されるようになっている。また，第３のスライドピン15の摺動部15ｂは，先端にねじ回し等の工具により締込みができる，例えば六角穴等の凹部17ａを有する締込部17が形成されており，工具を係合させるためのボルトの頭部分を設けない構成としている。さらに，締込部17の外周は，摺動部15ｂの外周と同径となって摺動部15ｂの一部を構成し，アウタビーム14の摺動穴18に嵌合したブッシュ19に対して摺動可能となっている。また，第３のスライドピン15は，アウタビーム14との摺動部15ｂの先端に形成した凹部17ａにねじ回し等の工具を係合させることにより，車体の外側よりディスクブレーキ本体を分解することなく取外しが可能な構成となっている。
【００２２】
なお，第３のスライドピン15の外装には，密着性と耐食性に優れた表面処理（例えば無電解ニッケルめっき等）を施してある。
【００２３】
また，第３のスライドピン15は，キャリパ本体２をキャリア12に移動可能に支持させる第１のスライドピン13ａおよび第２のスライドピン13ｂのうち，クリアランスの大きい第２のスライドピン13ｂ側に位置すると同時に，第１のスライドピン13ａおよび第２のスライドピン13ｂの中心軸ＸおよびＸ’を結ぶ線方向において，第３のスライドピン15がキャリパ２のほぼ内側に位置する構成にしてある。すなわち，図１においては，キャリパ２の外縁２ａに対して第３のスライドピン15の外縁15ｃがディスクロータ周方向の内側に完全に位置することで，第３のスライドピン15の全部がキャリパ２の内側に位置する。また，第３のスライドピン15の外縁15ｃが，キャリパ２の外縁２ａに対して第３のスライドピン15の半径以下のわずかな程度ディスクロータ周方向の外側（換言すれば，第３のスライドピン15の中心軸Ｙが，キャリパ２の外縁２ａよりも内側）に位置したとしても，第３のスライドピン15の大半の部分がキャリパ２のほぼ内側に位置することとなる。そして，このような構成とすることにより，第３のスライドピン15のディスクロータ周方向外側への張出しを抑えることができ，ディスクブレーキ本体をコンパクトにすることができる。したがって，第３のスライドピンとホイールの干渉を回避することが容易なため，ディスクロータやホイールを含めたホイールスペース全体の構成レイアウトを大幅に変更する必要がない。
【００２４】
以上のように構成した本実施例の作用について次に説明する。
【００２５】
マスタシリンダ（図示せず）からシリンダボア４内に圧油を供給すると，ピストン８が直接インナパッド９をディスクロータ３に押し付けるとともに，その反力によってキャリパ本体２が移動して爪部５がアウタパッド10をディスクロータ３に押し付けることにより制動力が発生する。このとき，ピストン８の移動に追従してピストンシール７が弾性変形し，また，キャリパ本体２とともに第３のスライドピン15がブッシュ19に沿って移動する。
【００２６】
マスタシリンダからの圧油の供給を解除すると，ピストンシール７の弾性力によってピストン８が所定距離後退してインナパッド９がディスクロータ３から離間する。また，同時にキャリパ本体２の爪部５に形成した第１の腕部20に取付けられた第３のスライドピン15は，キャリパ本体２の動きに追従して，アウタビーム14に設けられた摺動穴18のブッシュ19の内面を摺動し，ロータの軸方向に沿って移動する。
【００２７】
また，マスタシリンダからの圧油の供給時，解除時に限らず，第１のスライドピン13ａ，第２のスライドピン13ｂ，第３のスライドピン15の３本のピンにより，キャリパ本体２を支持することができるので，キャリパ本体２の自重等によるディスクロータ３の半径方向や回転方向へのがたつきを抑えることができる。
【００２８】
さらに，第３のスライドピン15のアウタビーム14との摺動部15ｂは，先端にねじ回し等の工具により締込みができる凹部17ａを有する締込部17が形成されており，工具を係合させるためのボルトの頭部分を設けず，さらに，締込部17の外周が摺動部15ｂの外周と同径としているため，第３のスライドピン15の締込部17の外周が摺動部15ｂの一部としてアウタビーム14に設けた摺動穴18に嵌合させたブッシュ19との摺動が可能になる。
【００３０】
さらに，第３のスライドピン15は，第１のスライドピン13ａおよび第２のスライドピン13ｂのうち，クリアランスの大きい第２のスライドピン13ｂ側に位置する構成としたが，これに限らず，第１のスライドピン13ａおよび第２のスライドピン13ｂのクリアランスが等しい場合においては，第３のスライドピン15は，第１のスライドピン13ａ，第２のスライドピン13ｂのどちら側に位置してもよい。
【００３１】
次に，キャリパの支持機構の他の実施例について図４および図５を用いて説明する。なお，前述の実施例と同一の構成には同一の符号を付して，その説明を省略する。
【００３２】
前述の実施例では，クリアランスの大きい第２のスライドピン13ｂ側のみに，第３のスライドピン15を設ける構成とした。これに対し，図４および図５に示すものでは，キャリパ本体２の爪部５とアウタビーム14との間に，ディスクロータ３の入口側に第３のスライドピン15を，またディスクロータ３の出口側に第４のスライドピン25を設ける構成としている。
【００３３】
この第４のスライドピン25を設けるに際しては，第３のスライドピン15の取付けと同様に，キャリパ本体２の爪部５のアウタビーム14側の面に，ディスクロータ３の軸線と垂直な面を有する第３の腕部26を形成し，該第３の腕部26に第４のスライドピン25を取付けるための雌ねじが形成された取付穴（図示せず）を設けている。
また，アウタビーム14には，ディスクロータ３の軸線と垂直な面を有する第４の腕部27を形成し，該第４の腕部27に，キャリパ本体２の爪部５に取付けられた第４のスライドピン25が摺動可能となるような摺動穴（図示せず）を設けている。さらに，この摺動穴には弾性部材からなるブッシュ28を嵌合して取付けている。
【００３４】
また第４のスライドピン25は，詳細は図示しないが，第３のスライドピン15と同様に，爪部５に設けられた第３の腕部26の取付穴へ嵌合するための取付部（図示せず）と，アウタビーム14に設けられた第４の腕部27の摺動穴と摺動させるための摺動部25ａとで構成し，摺動部25ａは，先端にねじ回し等の工具により締込みができる凹部29ａを有する締込部29が形成されている。さらに，締込部29の外周は，摺動部25ａの外周と同径となって摺動部25ａの一部として構成し，アウタビーム14の摺動穴に嵌合したブッシュ28に対して摺動可能となっている。
【００３５】
また，第３および第４のスライドピン15，25は，キャリパ本体２をキャリア12に移動可能に支持させる第１のスライドピン13ａおよび第２のスライドピン13ｂの中心軸ＸおよびＸ’を結ぶ線方向において，キャリパ２のほぼ内側に位置する構成にしてある。このような構成とすることにより，第３および第４のスライドピンのディスクロータ周方向外側への張出しを抑えることができ，ディスクブレーキ本体をコンパクトにすることができる。さらに，キャリパ本体２を４点で支持することが可能となり，キャリパのがたつき等の変位挙動に対し，前述の実施例の作用以上の効果を奏することができる。
【図面の簡単な説明】
【００３６】
【図１】本発明の一実施例のディスクブレーキの平面図である。
【図２】図１のディスクブレーキの正面図である。
【図３】図２のディスクブレーキのＡ−Ａ断面図である。
【図４】本発明の他の実施例のディスクブレーキの平面図である。
【図５】図４のディスクブレーキの正面図である。
【符号の説明】
【００３７】
１    ディスクブレーキ
２    キャリパ（本体）
３    ディスクロータ
５    爪部
８    ピストン
９    インナパッド
１０   アウタパッド
１２   キャリア
１３ａ  第１のスライドピン
１３ｂ  第２のスライドピン
１４   アウタビーム
１５   第３のスライドピン
１５ａ  取付部
１５ｂ  摺動部
１５ｃ  外縁
１６   取付穴
１７   締込部
１７ａ  凹部
１８   摺動穴
１９   ブッシュ
２０   第１の腕部
２１   第２の腕部
２２ａ，２２ｂ   トルク受け部
２３ａ，２３ｂ   パッドガイド
２４ａ，２４ｂ   溝
２５   第４のスライドピン
【図１】
0004730955.tif 000002
【図２】
0004730955.tif 000003
【図３】
0004730955.tif 000004
【図４】
0004730955.tif 000005
【図５】
0004730955.tif 000006